(57)【要約】【課題】ネイル表面部に形成した銀もしくは銀を含む合金膜により、キラキラ感やミラー感や銀色を示す装飾を構成する。該銀もしくは銀を含む合金膜により従来のネイル装飾に比べて高級感を実現する。【解決手段】ネイル表面部に銀膜もしくは銀を含む合金膜を、銀鏡塗装もしくは物理的薄膜形成法もしくは化学的薄膜形成法により形成することにより、キラキラ感やミラー感や銀色の装飾を実現する。ネイル表面に形成した、該銀膜もしくは銀を含む合金膜により高級感を実現するものである。また、ネイル表面に該銀膜もしくは銀を含む合金膜を形成する方法を提供するものである。【選択図】図１
2013009925.tif 000002
【特許請求の範囲】
【請求項１】
銀鏡塗装で作製した銀膜もしくは銀を含む合金膜であって、ネイルの表面に形成したことを特徴とする銀膜もしくは銀を含む合金膜。
【請求項２】
ネイルの表面に形成した銀膜もしくは銀を含む合金膜について、銀鏡塗装により作製したことを特徴とする銀膜もしくは銀を含む合金膜作製方法。
【請求項３】
物理的銀薄膜成膜法により成膜した銀膜もしくは銀を含む合金膜であって、ネイルの表面に形成したことを特徴とする銀膜もしくは銀を含む合金膜。
【請求項４】
ネイルの表面に形成したことを特徴とする銀膜もしくは銀を含む合金膜であって、物理的銀薄膜成膜法により成膜した銀膜もしくは銀を含む合金膜作製方法。
【請求項５】
化学的銀薄膜成膜法により成膜した銀膜もしくは銀を含む合金膜であって、ネイルの表面に形成したことを特徴とする銀膜もしくは銀を含む合金膜。
【請求項６】
ネイルの表面に形成したことを特徴とする銀膜もしくは銀を含む合金膜であって、化学的銀薄膜成膜法により成膜した銀膜もしくは銀を含む合金膜作製方法。
【発明の詳細な説明】
【発明の詳細な説明】
【技術分野】
【０００１】  本発明は、ネイル装飾、ネイルアート等のファッション的なネイルの装飾を目的とするものであって、ネイル表面に銀を薄膜状に形成して、ネイル表面にキラキラした金属装飾を付与する技術に係るものであり、および該装飾を作製する技術に係るものである。本発明は、該銀膜による装飾に係るものであり、該銀膜を銀鏡塗装や装飾フィルムを転写して形成することを特徴とするものである。特に、ネイルの表面に形成した装飾等を目的とする銀膜もしくは該銀膜の製造方法に係るものであり、ミラー装飾を目的とする銀膜に係るものであり、該銀膜を作製する技術に係るものである。
【背景技術】
【０００２】  ネイルに様々な装飾を付与するネイル装飾は、ファッション性に富む様々な装飾技術を活用して行われる。その多くは、塗料やフィルムや各種のプラスチックなどで作製された様々なアイテムを用いて行われる。多くの装飾は、ネイルに透明な塗装や着色性の塗装を行い、その後様々なアイテムを接着・固定し、さらにつや出しや保護のためにクリア塗装を行う。【０００３】  金属調の装飾は、多くの各種部材を高付加価値化するための有効なプロセス技術として認識されている。プラスチック成形品などにおいて、銀薄膜を付与する技術は金属調の色調や見栄えなどの装飾により高級感や高機能感を付与するものである。さらに、銀の有する特有の色調である「銀色」と称する特別の付加価値を有するものである。【０００４】  近年、ネイルについても「銀色」の付与、ミラー装飾が求められる。ネイル装飾において、様々な商品において行われる金属調の表面加飾技術と同様に、キラキラ感のある装飾が求められている。特に、ミラー装飾として、アルミニウムを用いたものではなく、銀そのものを薄膜状に形成したまさに銀色が求められる。銀は、まさに「鏡」であり、「銀色」なのである。【０００５】  ネイルに「銀色」の銀薄膜を形成することは、そのミラー特性を良好に形成することにおいて困難であった。また、効率的に「銀色」の銀膜をネイルに形成することは、多くの難点があった。また、一般的に言われる銀色の塗料では、その銀色はアルミニウムによるいわゆる銀色を塗装することであり、良好なミラー状態を構築することはできない。ミラー調のフィルムを貼付けるような処理や、反射性の小片などを用いてキラキラ感を構築するようなことが行われるが、完全なミラーには程遠い。【０００６】  銀膜を構築する塗装技術として、銀鏡塗装が産業的に利用されている。銀鏡塗装技術はすでに塗装業界において活用が進展している技術であり、プラスチックや金属などの様々な基材に対して加飾を施すことができる。
【発明の開示】
【発明が解決しようとする課題】
【０００７】  きわめて多数多様なネイルアート技術が開発され、たくさんの女性に対して美しいネイル装飾を提供している。しかし、ネイルの表面に良好なミラー装飾を施すことは困難であった。【０００８】  ネイルの表面に形成した薄膜状の銀により、ネイルに対して良好なミラー装飾を付与する。【０００９】  ネイルにミラー装飾を形成するために、銀鏡塗装技術を適用して、例えばネイルサロンにおいてミラー装飾を形成することができれば、ネイルに対するすばらしい装飾として活用されるであろう。ミラー独特のキラキラ感として認識されるものであり、加飾技術として極めて付加価値の大きな技術と認識されるものである。【００１０】  本発明は、以上の状況に鑑みて実施されたものであり、きわめて良好なキラキラ感をもつ銀薄膜を、ネイルの表面に形成して装飾とすることにより素晴らしいネイルアート装飾を与えるものである。本発明は、ネイルの表面に形成した銀薄膜および該銀薄膜を作製する方法を特徴とするものである。【００１１】  本発明におけるネイルに形成した銀膜は、その形成方法として銀鏡塗装を活用する。従来の建物やプラスチックなどの塗装に活用されてきた銀鏡塗装技術を、ネイルという全く異なる対象に対して適用して、新しい機能と新しい価値を創出したものである。【００１２】  本発明におけるネイルに形成した銀膜は、そのネイルに形成した銀膜もしくは銀を含む合金膜を特徴とするものであり、ネイルに形成した銀膜もしくは銀を含む合金膜を作製する方法を特徴とするものである。【００１３】  本発明におけるネイルに形成した銀膜もしくは銀を含む合金膜を形成する技術について、銀鏡塗装、物理的薄膜形成方法、化学的薄膜形成方法を活用することが可能である。【００１４】  本発明では、ネイルに形成した銀膜もしくは銀を含む合金膜について、該銀膜もしくは銀を含む合金膜を形成する技術として、銀鏡塗装、物理的薄膜形成方法、化学的薄膜形成方法以外のあらゆる技術を活用してもよい。好ましくは、銀鏡塗装、物理的薄膜形成方法、化学的薄膜形成方法を活用することを特徴とする。
【課題を解決するための手段】
【００１５】  本発明は、以上の目的を達成するために為されたものであり、ネイルの表面に形成した銀膜もしくは銀を含む合金膜を特徴とし、該銀膜もしくは銀を含む合金膜によりキラキラ感を示すミラー装飾を施すものである。【００１６】  請求項１に記載される発明は、ネイルの表面に形成した銀膜もしくは銀を含む合金膜であって、該銀膜を銀鏡塗装により作製したことを特徴とするネイル装飾用銀膜もしくは銀を含む合金膜を提供するものである。該銀膜もしくは銀を含む合金膜について、銀鏡塗装により形成したことを特徴とする、ネイルに形成した銀膜もしくは銀を含む合金膜に係るものである。【００１７】  請求項２に記載される発明は、ネイル表面に形成した銀膜もしくは銀を含む合金膜であって、ネイルの表面に形成したことを特徴とする銀膜もしくは銀を含む合金膜およびその作製方法に係るものである。該銀膜もしくは銀を含む合金膜であって、その作製方法として、銀鏡塗装技術を活用して銀膜もしくは銀を含む合金膜を形成することを特徴とする。【００１８】  請求項３に記載されている発明は、ネイルの表面に形成した銀膜もしくは銀を含む合金膜であって、該銀膜を物理的薄膜形成方法により作製したことを特徴とするネイル装飾用銀膜もしくは銀を含む合金膜を提供するものである。【００１９】  請求項４に記載される発明は、ネイル表面に形成した銀膜もしくは銀を含む合金膜であって、ネイルの表面に形成したことを特徴とする銀膜もしくは銀を含む合金膜に係るものである。該銀もしくは銀を含む合金膜であって、その作製方法として、物理的薄膜形成方法を活用して銀膜もしくは銀を含む合金膜を形成することを特徴とする。【００２０】  請求項５に記載される発明は、ネイルの表面に形成した銀膜もしくは銀を含む合金膜であって、該銀膜を化学的薄膜形成方法により作製したことを特徴とするネイル装飾用銀膜もしくは銀を含む合金膜を提供するものである。【００２１】  請求項６に記載される発明は、ネイル表面に形成した銀膜もしくは銀を含む合金膜であって、ネイルの表面に形成したことを特徴とする銀膜もしくは銀を含む合金膜に係るものである。該銀膜もしくは銀を含む合金膜であって、その作製方法として、化学的薄膜形成方法を活用して銀膜もしくは銀を含む合金膜を形成することを特徴とする。【００２２】  本件発明を活用することにより、ネイル表面に形成した装飾用銀膜により良好なミラー装飾を提供することができる。該銀膜もしくは銀を含む合金膜は、銀鏡塗装、物理的成膜法、化学的成膜法により製作されるものであり、かつまた、ネイルに形成した該銀膜もしくは銀を含む合金膜を提供する。該銀膜もしくは銀を含む合金膜は、本発明による制作方法によっても、またそれ以外の制作方法によってもかまわない。【００２３】  本発明を活用することにより、ネイル表面に形成した銀膜もしくは銀を含む合金膜により、優れた加飾・装飾を施すことが可能となる。本発明によりネイル表面に形成した銀膜について、さらにオーバーコートとして色調を付与することによってあらゆる色調の加飾を可能とすることができる。本発明により、ネイルにおいて該銀もしくは銀を含む合金膜を作製し、提供することが可能となる。
【発明の効果】
【００２４】  本発明によりネイル表面に形成した優れた金属調であるシルバー色調・銀色を与える銀膜もしくは銀を含む合金膜を提供することが可能となる。該銀膜もしくは銀を含む合金膜により、ネイルに係るミラー加飾が可能となる。ネイルアートの新たな装飾分野として、ミラー色調・銀色の装飾を施すことが可能となる。そして本発明によって形成した銀膜について、例えばつや出し塗装や色を付加的につかすることも可能となる。すなわち、銀色に黄色を加えれば、ゴールド装飾になるのである。よって、あらゆる色調のキラキラ感を示すネイルアートが可能となる。【００２５】  本発明による銀膜もしくは銀を含む合金膜であって、これらの銀膜による加飾・装飾は、他のネイルアート技術による加飾・装飾による色調付与に比較して、高級感に優れた加飾・装飾を与える。本発明によるネイルの表面部に形成した銀膜もしくは銀を含む合金膜により、多くの類似ネイルアートに対して差別化が可能となり、極めて高級感を有するネイルアートを構築することができる。
【発明を実施するための最良の形態】
【実施例１】
【００２６】  以下、この発明の最良の実施の形態を詳細に説明する。図１は本発明の一実施形態に係る実施例を示すものであり、ネイル表面部に形成した銀膜もしくは銀を含む合金膜１２０を示す図である。ネイル表面１０に形成した銀膜もしくは銀を含む合金膜１２０は、必要に応じてネイル表面に形成した下地層１１０と上塗り層１３０と組み合わされて形成される。図１に組み合わされた銀膜もしくは銀を含む合金膜１２０を含む装飾膜１００を示す。【００２７】  図１に示す装飾膜１００は、本発明による最良の実施形態の一例であって、このような構成に限られるものではない。銀膜もしくは銀を含む合金膜１２０は、下地層１１０と上塗り層１３０と組み合わされた装飾層１００として形成されてもよく、もしくは、下地層１１０もしくは上塗り層１３０のいずれかと組み合わされてもよい。本発明は、ネイル表面に形成した銀膜もしくは銀を含む合金膜を特徴とするものであり、その構成方法にこだわるものではない。【００２８】  本発明によれば、ネイル表面１０に形成した銀開くもしくは銀を含む合金膜１２０を作製する技術として銀鏡塗装技術もしくは物理的成膜技術もしくは化学的成膜技術を使用することができる。これらの技術によりネイル表面１０に形成した銀膜もしくは銀を含む合金膜１２０は、優れた良好な銀色と呈する加飾として機能する。しかしながら、該銀膜もしくは銀を含む合金膜を形成するにおいて、本件発明による以外の成膜技術を活用して形成してもよい。
【実施例２】
【００２９】  以下、この発明の異なる最良の実施の形態を詳細に説明する。図２は本発明の一実施形態に係わる実施例を示すものであり、ネイル表面１０に形成した銀膜もしくは銀を含む合金膜２２０とその上部に構成された各種装飾アイテム２４０を示す図である。ネイル表面１０に形成した銀膜もしくは銀を含む合金膜１２０は、必要に応じてネイル表面１０に形成した下地層２１０と各種の装飾アイテム２４０を構築する。さらに、上塗り層２３０と組み合わされて、ネイル装飾２００として構成される。【００３０】  図２に示すネイル装飾２００は、本発明による最良の実施形態の異なる一実施例であって、このような構成に限られるものではない。しかしながら、銀膜もしくは銀を含む合金膜２２０は、下地層２１０と各種の装飾アイテム２４０と上塗り層２３０とにより組み合わされたネイル装飾２００として構成される。上塗り層２３０は各種の色調を持っている膜を用いることができ、様々な要望に従って構成可能である。【００３１】  本実施例は、ネイル表面１０に形成した銀膜もしくは銀を含む合金膜２２０を作製する技術として銀鏡塗装技術もしくは物理的成膜技術もしくは化学的成膜技術を使用することができる。これらの技術によりネイル表面１０に形成した銀膜もしくは銀を含む合金膜２２０は、優れた良好な銀色と呈する加飾として機能する。しかしながら、該銀膜もしくは銀を含む合金膜を形成するにおいて、本件発明による以外の成膜技術を活用して形成してもよい。
【産業上の利用の可能性】
【００３２】  本発明は、ネイル表面部に形成した銀膜もしくは銀を含む合金膜を特徴とするものであって、かつまた、該銀膜もしくは銀を含む合金膜を作製する技術を提供するものである。本発明は、ネイル表面部に形成した銀膜もしくは銀を含む合金膜による金属調もしくはキラキラ感の装飾を活用するものである。本発明によって、ネイル表面に形成した多くの装飾に比べて、大きな優位性を有するキラキラ感のある優れた色合いやいわゆる「銀色」の加飾・装飾を可能とするものである。本発明により、類似のネイル装飾に対して明確な差別化が可能となる。本発明は、ネイル装飾等の産業的に大きな利用の可能性を有するものであり、活用価値の大きい装飾資材である。本発明は、ネイル装飾産業に係るきわめて広い産業分野において広く利用することが可能である。
【図面の簡単な説明】
【００３３】
【図１】本発明の一実施形態に係る銀膜もしくは銀を含む合金膜を示す説明図である。
【図２】本発明の一実施形態に係る銀膜もしくは銀を含む合金膜を示す説明図である。
【符号の説明】
【００３４】１０    ネイル表面
１００  装飾膜
１１０  下地層
１２０  銀膜もしくは銀を含む合金膜
１３０  上塗り層
２００  ネイル装飾
２１０  下地層
２２０  銀膜もしくは銀を含む合金膜
２３０  上塗り層
２４０  装飾アイテム
【図１】
2013009925.tif 000003
【図２】
2013009925.tif 000004